(57)【要約】  【課題】画像のサイズを変更したときに、サイズが変更された画像の品質が向上すること  【解決手段】本発明の画像変換処理装置（１１）は、ＣＰＵ（２９）と、画像格納部（２１）と、連結状態情報格納部（２２）と、ＣＰＵ（２９）が実行するためのコンピュータプログラムが格納されたプログラム格納部（２８）とを具備する。画像格納部（２１）は、画像を格納する。画像は、複数のドットにより形成された画像要素を有する。画像要素は絵文字の形状を表す。連結状態情報格納部（２２）は、連結状態情報を格納する。連結状態情報は、画像要素内での複数のドットの連結状態を表す連結情報と、画像要素に対する描画コマンドとを有する。ＣＰＵ（２９）は、連結状態情報から連結情報と描画コマンドとを抽出し、画像サイズ変更指示に従って画像のサイズを変更し、抽出された連結情報と抽出された描画コマンドとに従って、サイズが変更された画像の画像要素が表す絵文字の形状を変更して変更画像を生成する。  【選択図】図５
2005037655.tif 000002
【特許請求の範囲】
【請求項１】
複数のドットにより形成された画像要素を有する画像を格納する画像格納部と、前記画像要素は絵文字の形状を表し、
連結状態情報を格納する連結状態情報格納部と、前記連結状態情報は、前記画像要素内での前記複数のドットの連結状態を表す連結情報と前記画像要素に対する描画コマンドとを有し、
前記連結状態情報から前記連結情報と前記描画コマンドとを抽出し、画像サイズ変更指示に従って前記画像のサイズを変更し、前記抽出された連結情報と前記抽出された描画コマンドとに従って、前記サイズが変更された画像の前記画像要素が表す前記形状を変更して変更画像を生成する画像変換部と
を具備する画像変換処理装置。
【請求項２】
画像と連結状態情報とを対応付けて格納する格納部と、前記画像は、複数のドットにより形成された画像要素を有し、前記画像要素は絵文字の形状を表し、前記連結状態情報は、前記画像要素内での前記複数のドットの連結状態を表す連結情報と前記画像要素に対する描画コマンドとを有し、
前記連結状態情報から前記連結情報と前記描画コマンドとを抽出し、画像サイズ変更指示に従って前記画像のサイズを変更し、前記抽出された連結情報と前記抽出された描画コマンドとに従って、前記サイズが変更された画像の前記画像要素が表す前記形状を変更して変更画像を生成する画像変換部と
を具備する画像変換処理装置。
【請求項３】
請求項１又は２に記載された画像変換処理装置において、
前記描画コマンドは、前記画像要素が表す前記形状を予め設定された設定形状に変更するための命令であり、
前記画像変換部は、前記抽出された連結情報と前記抽出された描画コマンドとに従って、前記サイズが変更された画像の前記画像要素が表す前記形状を前記設定形状に変更する
画像変換処理装置。
【請求項４】
請求項１〜３のいずれか一項に記載された画像変換処理装置において、
前記画像サイズ変更指示が画像拡大指示であるとき、前記画像変換部は、前記画像拡大指示に従って前記画像を拡大し、前記抽出された連結情報と前記抽出された描画コマンドとに従って、前記拡大された画像の前記画像要素が表す前記形状を変更する
画像変換処理装置。
【請求項５】
請求項１〜４のいずれか一項に記載された画像変換処理装置と、
前記画像変換処理装置から出力される前記変更画像を表示する表示装置と
を具備する携帯端末。
【請求項６】
複数のドットにより形成された画像要素を有する画像を格納する画像格納部と、
連結状態情報を格納する連結状態情報格納部と、前記連結状態情報は、前記画像要素内での前記複数のドットの連結状態を表す連結情報と前記画像要素に対する描画コマンドとを有し、
前記描画コマンドに対応する描画プログラムを格納するプログラム格納部と、
前記連結状態情報から前記連結情報と前記描画コマンドとを抽出し、前記抽出された連結情報と前記抽出された描画コマンドとに基づいて、前記画像に対して前記描画プログラムを実行する画像変換部と
を具備する画像変換処理装置。
【請求項７】
画像と連結状態情報とを対応付けて格納する格納部と、前記画像は、複数のドットにより形成された画像要素を有し、前記連結状態情報は、前記画像要素内での前記複数のドットの連結状態を表す連結情報と前記画像要素に対する描画コマンドとを有し、
前記描画コマンドに対応する描画プログラムを格納するプログラム格納部と、
前記連結状態情報から前記連結情報と前記描画コマンドとを抽出し、前記抽出された連結情報と前記抽出された描画コマンドとに基づいて、前記画像に対して前記描画プログラムを実行する画像変換部と
を具備する画像変換処理装置。
【請求項８】
請求項６又は７に記載された画像変換処理装置において、
前記描画プログラムは、ベクトル描画プログラムである
画像変換処理装置。
【請求項９】
画像を格納する画像格納部と連結状態情報を格納する連結状態情報格納部とを具備するコンピュータにインストールされたコンピュータプログラムであって、
前記画像格納部から前記画像を読み出すステップと、前記画像は、複数のドットにより形成された画像要素を有し、前記画像要素は絵文字の形状を表し、
前記連結状態情報格納部から前記連結状態情報を読み出すステップと、前記連結状態情報は、前記画像要素内での前記複数のドットの連結状態を表す連結情報と前記画像要素に対する描画コマンドとを有し、
前記連結状態情報から前記連結情報と前記描画コマンドとを抽出するステップと、
画像サイズ変更指示に従って前記画像のサイズを変更するステップと、
前記抽出された連結情報と前記抽出された描画コマンドとに従って、前記サイズが変更された画像の前記画像要素が表す前記形状を変更して変更画像を生成するステップと
を前記コンピュータに実行させるコンピュータプログラム。
【請求項１０】
画像と連結状態情報とを対応付けて格納する格納部を具備するコンピュータにインストールされたコンピュータプログラムであって、
前記格納部から前記画像と前記連結状態情報とを読み出すステップと、前記画像は、複数のドットにより形成された画像要素を有し、前記画像要素は絵文字の形状を表し、前記連結状態情報は、前記画像要素内での前記複数のドットの連結状態を表す連結情報と前記画像要素に対する描画コマンドとを有し、
前記連結状態情報から前記連結情報と前記描画コマンドとを抽出するステップと、
画像サイズ変更指示に従って前記画像のサイズを変更するステップと、
前記抽出された連結情報と前記抽出された描画コマンドとに従って、前記サイズが変更された画像の前記画像要素が表す前記形状を変更して変更画像を生成するステップと
を前記コンピュータに実行させるコンピュータプログラム。
【請求項１１】
請求項９又は１０に記載されたコンピュータプログラムにおいて、
前記描画コマンドは、前記画像要素が表す前記形状を予め設定された設定形状に変更するための命令であり、
前記変更画像を生成するステップは、前記抽出された連結情報と前記抽出された描画コマンドとに従って、前記サイズが変更された画像の前記画像要素が表す前記形状を前記設定形状に変更するステップを含む
コンピュータプログラム。
【請求項１２】
請求項９〜１１のいずれか一項に記載されたコンピュータプログラムにおいて、
前記画像サイズ変更指示が画像拡大指示であるとき、
前記画像のサイズを変更するステップは、前記画像拡大指示に従って前記画像を拡大するステップを含み、
前記変更画像を生成するステップは、前記抽出された連結情報と前記抽出された描画コマンドとに従って、前記拡大された画像の前記画像要素が表す前記形状を変更するステップを含む
コンピュータプログラム。
【発明の詳細な説明】
【技術分野】
【０００１】
本発明は、画像変換処理装置に関し、特に、複数のドットにより形成された画像要素を有する画像のサイズを変換する画像変換処理装置に関する。
【背景技術】
【０００２】
携帯電話機の普及により、文字（記号、数字を含む）と同時に使用されるピクトグラム（一般的に「絵文字」と呼ばれる）が広く使用されるようになった。携帯電話機は、表示装置を具備し、その表示装置に画像を表示する。画像が文字を表す場合、画像は、複数のドットにより文字が形成された画像要素を有する。画像が絵文字を表す場合、画像は、複数のドットにより絵文字が形成された画像要素を有する。
従来の携帯電話機では、その表示装置に表示される文字のサイズが予めに決められており、同時に使用される絵文字のサイズも予めに決められていた。予めに決められたサイズを標準サイズとする。従来の携帯電話機では、記憶装置を更に具備し、標準サイズの画像（文字、絵文字）をその記憶装置に格納し、その記憶装置に格納された画像を読み出して、その表示装置に表示していた。
【０００３】
近年では、携帯電話機の表示装置の解像度が向上していることにより、標準サイズよりも大きなサイズの画像を表示することが要求される。同じ種類（同じ文字、同じ絵文字）の画像をサイズ別に記憶装置に格納する場合、その記憶装置の記憶容量を増加させなければならない。
記憶容量を増加させることを回避するために、携帯電話機には、画像のサイズを変更する画像変換機能が搭載される。画像変換機能として（Ｉ）ドット表示方式と、（ＩＩ）ベクトル表示方式とが挙げられる。例えば、（ＩＩ）ベクトル表示方式については、文字の輪郭を表す輪郭情報を記憶装置に格納し、表示の際に必要なサイズに展開する技術が特公昭５３−４１０１７号公報（特許文献１）に記載されている。（Ｉ）ドット表示方式、（ＩＩ）ベクトル表示方式を利用する場合では、同じ種類の画像をサイズ別に記憶装置に格納する場合に比べて、記憶装置の記憶容量を小さくすることができる。また、この技術を利用する場合、画像のサイズの種類の制限がなくなり、画像のサイズを自由に決定することが可能になる。
また、画像変換機能として、例えば、ユーザがジョグキーを操作することにより、簡単な操作で画像のサイズを所望のサイズに変更することができる技術が特開２００２−１４９１５１号公報（特許文献２）に記載されている。
【０００４】
画像のサイズを変更する場合としては、画像を縮小する場合と、画像を拡大する場合とが挙げられる。図１に示されるような絵文字（ピクトグラム）は、文字とは異なり、多くの色が使用され、且つ、ドット単位に色が決定される。画像が絵文字を表し、その絵文字を縮小する場合、画像要素である絵文字の輪郭が歪んだり、絵文字がドット単位で細かく表現されている部分がつぶれたりするというように、画像要素（絵文字）の形状を再現することが困難である。画像を拡大する場合、画像要素（絵文字）の形状を再現することができる。
図１に示される画像１０は、１２行１２列（１２×１２）のドットにより形成され、画像要素“第１花”と画像要素“第２花”とを有する。１行目１列目のドットを原点とし、以下、ｘ行目ｙ行目のドットを［ｘ、ｙ]ドットと称する。画像要素“第１花”、“第２花”は、画像要素“花弁”、“第１水滴”、“第２水滴”、“第３水滴”、“第４水滴”、“子房”、“花柄・葉”を含む。
【０００５】
画像１０の画像要素“第１花”の場合について説明する。
画像１０の画像要素“第１花”に含まれる画像要素“花弁”は、［２、４]、［３、３]、［３、５]、［４、２]、［４、６]、［５、３]、［５、５]、［６、４]ドットにより形成され、［２、４]、［３、３]、［３、５]、［４、２]、［４、６]、［５、３]、［５、５]、［６、４]ドットは、第１色（第１階調）により表される。画像１０の画像要素“第１花”に含まれる画像要素“第１水滴”は、［３、４]ドットにより形成され、［３、４]ドットは、第１色とは異なる第２色（第２階調）により表される。画像１０の画像要素“第１花”に含まれる画像要素“第２水滴”は、［４、３]ドットにより形成され、［４、３]ドットは、第２色により表される。画像１０の画像要素“第１花”に含まれる画像要素“第３水滴”は、［４、５]ドットにより形成され、［４、５]ドットは、第２色により表される。画像１０の画像要素“第１花”に含まれる画像要素“第４水滴”は、［５、４]ドットにより形成され、［５、４]ドットは、第２色により表される。画像１０の画像要素“第１花”に含まれる画像要素“子房”は、［４、４]ドットにより形成され、第１色、第２色とは異なる第３色（第３階調）により表される。画像１０の画像要素“第１花”に含まれる画像要素“花柄・葉”は、［７、４]、［８、４]、［９、４]、［１０、４]、［７、２]、［８、２]、［９、３]、［７、６]、［８、６]、［９、５]ドットにより形成され、［７、４]、［８、４]、［９、４]、［１０、４]、［７、２]、［８、２]、［９、３]、［７、６]、［８、６]、［９、５]ドットは、第１色、第２色、第３色とは異なる第４色（第４階調）により表される。
【０００６】
画像１０の画像要素“第２花”は、画像１０の画像要素“第１花”を２行５列ドット分だけシフトさせたものである。
【０００７】
（Ｉ）ドット表示方式を利用する場合、携帯電話機の画像変換機能は、画像１０を拡大して、図２に示されるような画像１００に変換する。画像１００は、３６行３６列（３６×３６）のドットにより形成されている。この場合、携帯電話機の画像変換機能は、使用者による画像サイズ変更指示に従って、画像１０を３倍にした画像１００を表示装置に表示する。
（Ｉ）ドット表示方式を利用する場合、携帯電話機の記憶装置の記憶容量を増加させる必要がない。（Ｉ）ドット表示方式により画像１０を拡大した場合、画像１００には、画像１０の画像要素“第１花”、“第２花”の形状が再現されている。
【０００８】
しかしながら、（Ｉ）ドット表示方式により画像１０を拡大した場合、携帯電話機の記憶装置の記憶容量を増加させる必要はないが、画像１００の品質が向上しないという問題点がある。
携帯電話機の画像変換機能は、単に画像１０を拡大するため、図２に示されるように、画像１００の画像要素“第１花”、“第２花”の形状が断片的に表される。特に、画像１００の画像要素“第１花”、“第２花”に含まれる画像要素“花弁”、“子房”、“第１水滴”、“第２水滴”、“第３水滴”、“第４水滴”、“花柄・葉”の形状が断片的に表される。このため、画像１００が携帯電話機の表示装置に表示されても、携帯電話機の使用者は、その画像要素が表す絵文字“第１花”、“第２花”を理解することが困難である。
画像１００の画像要素“第１花”、“第２花”に含まれる画像要素“花弁”、“子房”、“第１水滴”、“第２水滴”、“第３水滴”、“第４水滴”、“花柄・葉”の形状が断片的に表されるため、画像１０を拡大して表示装置に表示したときに、携帯電話機の使用者に臨場感を与えることができない。
【０００９】
（ＩＩ）ベクトル表示方式を利用する場合、携帯電話機の画像変換機能は、画像１０を拡大して、図３に示されるような画像２００に変換する。画像２００は、３６行３６列（３６×３６）のドットにより形成されている。この場合、携帯電話機の画像変換機能は、画像１０の画像要素“第１花”、“第２花”の複数のドットのうちの同一色を表し且つ隣接するドットを認識する。携帯電話機の画像変換機能は、同一色を表し且つ隣接するドットを用いて、画像要素“第１花”、“第２花”の輪郭を表す輪郭情報を生成して記憶装置に格納する。携帯電話機の画像変換機能は、使用者による画像サイズ変更指示と輪郭情報とに従って、その輪郭を３倍にした画像２００を表示装置に表示する。
画像１０の画像要素“第１花”の場合、携帯電話機の画像変換機能は、画像１０の画像要素“第１花”に含まれる画像要素“花弁”を形成する［２、４]、［３、３]、［３、５]、［４、２]、［４、６]、［５、３]、［５、５]、［６、４]ドットが第１色により表されることを認識する。携帯電話機の画像変換機能は、画像１０の画像要素“第１花”に含まれる画像要素“花弁”を形成する［２、４]、［３、３]、［３、５]、［４、２]、［４、６]、［５、３]、［５、５]、［６、４]ドットのうち、例えば、［２、４]、［３、３]、［４、２]ドットが、［２、４]ドットを始点とし、［４、２]ドットを終点とする直線で表されるものと認識する。携帯電話機の画像変換機能は、その直線の始点を［２、４]ドットとし、終点を［４、２]ドットとし、その直線の色を第１色とする輪郭情報を記憶装置に格納する。次に、携帯電話機の画像変換機能は、画像サイズ変更指示と輪郭情報（第１色、直線の始点、終点）とに従って、輪郭（直線）を３倍にする。
（ＩＩ）ベクトル表示方式を利用する場合、携帯電話機の記憶装置の記憶容量を増加させる必要がない。（ＩＩ）ベクトル表示方式により画像１０を拡大した場合、画像２００の画像要素“第１花”、“第２花”の輪郭を画像１００のそれよりも滑らかにすることができる。
【００１０】
（ＩＩ）ベクトル表示方式により画像１０を拡大した場合、携帯電話機の記憶装置の記憶容量を増加させる必要はないが、画像２００の品質が向上しないという問題点がある。
携帯電話機の画像変換機能は、単に、同一色を表し且つ隣接するドットを用いて輪郭情報を生成するため、図３に示されるように、画像２００の画像要素“第１花”に含まれる画像要素“花柄・葉”と画像要素“第２花”に含まれる画像要素“花柄・葉”とが結合され、画像２００の画像要素“第１花”、“第２花”の区別が付け難い。このため、画像２００が携帯電話機の表示装置に表示されても、携帯電話機の使用者は、その画像要素が表す絵文字“第１花”、“第２花”を理解することが困難であり、絵文字を“第１花”と“第２花”とが結合された“花”として理解する可能性がある。
画像２００の画像要素“第１花”、“第２花”の区別が付け難いため、画像１０を拡大して表示装置に表示したときに、携帯電話機の使用者に臨場感を与えることができない。
【００１１】
（ＩＩ）ベクトル表示方式により画像１０を拡大した場合の上記の問題点として、特に、画像２００の画像要素“第１花”、“第２花”に含まれる画像要素“第１水滴”、“第２水滴”、“第３水滴”、“第４水滴”が結合され、画像要素“第１花”、“第２花”に含まれる画像要素“第１水滴”、“第２水滴”、“第３水滴”、“第４水滴”の区別が付け難い。このため、画像２００が携帯電話機の表示装置に表示されても、携帯電話機の使用者は、その画像要素が表す絵文字“第１水滴”、“第２水滴”、“第３水滴”、“第４水滴”を理解することが困難であり、絵文字を“第１水滴”と“第２水滴”と“第３水滴”と“第４水滴”とが結合された“水滴”として理解する可能性がある。
画像２００の画像要素“第１花”、“第２花”に含まれる画像要素“第１水滴”、“第２水滴”、“第３水滴”、“第４水滴”の区別が付け難いため、画像１０を拡大して表示装置に表示したときに、携帯電話機の使用者に臨場感を与えることができない。
【００１２】
（ＩＩ）ベクトル表示方式により画像１０を拡大した場合の上記の問題点として、特に、画像１０の作成者がその画像要素“第１花”、“第２花”に含まれる画像要素“花弁”の形状を“円型”で表されるように画像１０を作成しても、携帯電話機の画像変換機能が画像１０を拡大したときに画像２００の画像要素“第１花”、“第２花”に含まれる画像要素“花弁”の形状が“四角型”で表される。このため、画像２００が携帯電話機の表示装置に表示されたとき、携帯電話機の使用者は、画像２００の画像要素“第１花”、“第２花”に含まれる画像要素“花弁”の形状が“四角型”であると認識してしまう。その画像要素“花弁”の形状が、画像１０の作成者が意図した形状に反して表示装置に表示されるため、画像１０を拡大して表示装置に表示したときに携帯電話機の使用者に臨場感を与えることができない。
【００１３】
【特許文献１】特公昭５３−４１０１７号公報
【特許文献２】特開２００２−１４９１５１号公報
【発明の開示】
【発明が解決しようとする課題】
【００１４】
本発明の課題は、画像のサイズを変更したときに、サイズが変更された画像の品質が向上する画像変換処理装置を提供することにある。
【００１５】
本発明の他の課題は、記憶装置の記憶容量を増加させる必要がなく、且つ、サイズが変更された画像の品質が向上する画像変換処理装置を提供することにある。
【００１６】
本発明の更に他の課題は、画像のサイズを変更してその画像を表示装置に表示したときに、使用者に臨場感を与えることができる画像変換処理装置を提供することにある。
【００１７】
本発明の更に他の課題は、画像のサイズを変更してその画像を表示装置に表示したときに、画像の画像要素が表す絵文字を使用者が理解することができる画像変換処理装置を提供することにある。
【課題を解決するための手段】
【００１８】
以下に、［発明を実施するための最良の形態]で使用する番号・符号を用いて、課題を解決するための手段を説明する。これらの番号・符号は、［特許請求の範囲]の記載と［発明を実施するための最良の形態]の記載との対応関係を明らかにするために付加されたものであるが、［特許請求の範囲]に記載されている発明の技術的範囲の解釈に用いてはならない。
【００１９】
本発明の画像変換処理装置（１１）は、コンピュータであり、画像格納部（２１）と、連結状態情報格納部（２２）と、プログラム格納部（２８）とを具備する。プログラム格納部（２８）には、コンピュータプログラムである画像読出部（２３）、連結状態情報読出部（２４）、画像変換部（２５）とが格納されている（インストールされている）。
画像格納部（２１）は、画像（１０）を格納する。画像（１０）は、複数のドットにより形成された画像要素（３、４−１、４−２、４−３、４−４、５、６）を有する。画像要素（３、４−１、４−２、４−３、４−４、５、６）は絵文字の形状を表す。
連結状態情報格納部（２２）は、連結状態情報（４０）を格納する。連結状態情報（４０）は、画像要素（３、４−１、４−２、４−３、４−４、５、６）内での複数のドットの連結状態を表す連結情報と、画像要素（３、４−１、４−２、４−３、４−４、５）に対する描画コマンドとを有する。
画像読出部（２３）は、画像格納部（２１）から画像（１０）を読み出す（画像読出処理；Ｓ１）。
連結状態情報読出部（２４）は、連結状態情報格納部（２２）から連結状態情報（４０）を読み出す（連結状態情報；Ｓ２）。
画像変換部（２５）は、連結状態情報（４０）から連結情報と描画コマンドとを抽出する（抽出処理；Ｓ３）。画像変換部（２５）は、描画コマンドに対応する描画プログラム（２６）を含む。描画プログラム（２６）は、ベクトル描画プログラムである。画像変換部（２５）は、連結状態情報（４０）から連結情報と描画コマンドとを抽出したとき、抽出された連結情報と抽出された描画コマンドとに基づいて、画像（１０）に対して描画プログラム（２６）を実行する。
画像変換部（２５）は、画像サイズ変更指示に従って画像（１０）のサイズを変更する（サイズ変更処理；Ｓ４）。
画像変換部（２５）に実行される描画プログラム（２６）は、抽出された連結情報と抽出された描画コマンドとに従って、サイズが変更された画像（１０）の画像要素（３、４−１、４−２、４−３、４−４、５、６）が表す絵文字の形状を変更して変更画像（５０）を生成する（形状変更処理；Ｓ５）。
【００２０】
本発明の画像変換処理装置（１１）によれば、上記の連結情報と上記の描画コマンドとに従って、サイズが変更された画像（１０）の画像要素（３、４−１、４−２、４−３、４−４、５、６）が表す絵文字の形状を変更して変更画像（５０）を生成するため、変更画像（５０）を表示したときに、使用者は、変更画像（５０）の画像要素（３、４−１、４−２、４−３、４−４、５、６）が表す絵文字を理解することができる。
また、本発明の画像変換処理装置（１１）によれば、上記の連結情報と上記の描画コマンドとに従って、サイズが変更された画像（１０）の画像要素（３、４−１、４−２、４−３、４−４、５、６）が表す絵文字の形状を変更して変更画像（５０）を生成するため、変更画像（５０）を表示したときに、使用者に臨場感を与えることができる。
このため、本発明の画像変換処理装置（１１）によれば、サイズが変更された画像（１０）の品質が向上する。
【００２１】
本発明の画像変換処理装置（１１）は、記憶装置（３０）を更に具備し、記憶装置（３０）には画像格納部（２１）と連結状態情報格納部（２２）とが設けられている。本発明の画像変換処理装置（１１）によれば、連結状態情報の数は、画像が形成されるドットの数により予めに決められる。このため、本発明の画像変換処理装置（１１）は、同じ種類（同じ文字、同じ絵文字）の画像をサイズ別に記憶装置に格納する場合、前述の（ＩＩ）ベクトル表示方式の場合に比べて、記憶装置（３０）の記憶容量を小さくすることができる。前述の（ＩＩ）ベクトル表示方式では、輪郭情報を記憶装置に格納する必要があり、絵文字の形状が複雑である場合、数多くの輪郭情報が必要となり、数多くの輪郭情報を記憶装置（３０）に格納しなければならない。本発明の画像変換処理装置（１１）では、絵文字の形状が複雑である場合でも、１つの画像に対して予めに決められた数の連結状態情報のみ記憶装置（３０）に格納するだけでよい。
【００２２】
本発明の画像変換処理装置（１１）は、コンピュータであり、格納部（６１）と、プログラム格納部（２８）とを具備する。プログラム格納部（２８）には、コンピュータプログラムである読出部（６２）、画像変換部（２５）が格納されている（インストールされている）。
格納部（６１）は、画像（１０）と連結状態情報（４０）とを対応付けて格納する。画像（１０）は、複数のドットにより形成された画像要素（３、４−１、４−２、４−３、４−４、５、６）を有する。画像要素（３、４−１、４−２、４−３、４−４、５、６）は絵文字の形状を表す。連結状態情報（４０）は、画像要素（３、４−１、４−２、４−３、４−４、５、６）内での複数のドットの連結状態を表す連結情報と、画像要素（３、４−１、４−２、４−３、４−４、５）に対する描画コマンドとを有する。
読出部（６２）は、格納部（６１）から画像（１０）と連結状態情報（４０）とを読み出す（読出処理；Ｓ１１）。
画像変換部（２５）は、連結状態情報（４０）から連結情報と描画コマンドとを抽出する（抽出処理；Ｓ３）。画像変換部（２５）は、描画コマンドに対応する描画プログラム（２６）を含む。描画プログラム（２６）は、ベクトル描画プログラムである。画像変換部（２５）は、連結状態情報（４０）から連結情報と描画コマンドとを抽出したとき、抽出された連結情報と抽出された描画コマンドとに基づいて、画像（１０）に対して描画プログラム（２６）を実行する。
画像変換部（２５）は、画像サイズ変更指示に従って画像（１０）のサイズを変更する（サイズ変更処理；Ｓ４）。
画像変換部（２５）に実行される描画プログラム（２６）は、抽出された連結情報と抽出された描画コマンドとに従って、サイズが変更された画像（１０）の画像要素（３、４−１、４−２、４−３、４−４、５、６）が表す絵文字の形状を変更して変更画像（５０）を生成する（形状変更処理；Ｓ５）。
【００２３】
本発明の画像変換処理装置（１１）において、記憶装置（３０）を更に具備し、記憶装置（３０）には、上記の画像格納部（２１）と上記の連結状態情報格納部（２２）とに代えて、格納部（６１）が設けられている。本発明の画像変換処理装置（１１）によれば、記憶装置３０内の１つの格納部｛格納部（６１）｝から画像と連結状態情報とを読み出すことができる。このため、上記の読出処理（Ｓ１１）を実行する実行時間は、上記の画像読出処理（Ｓ１）と上記の連結状態情報読出処理（Ｓ２）とを実行する実行時間よりも短い。本発明の画像変換処理装置（１１）によれば、上記の画像読出処理（Ｓ１）と上記の連結状態情報読出処理（Ｓ２）とを実行する場合に比べて、高速に画像（１０）を変更画像（５０）に変換することができる。
【００２４】
本発明の画像変換処理装置（１１）において、描画コマンドは、画像要素（３、４−１、４−２、４−３、４−４、５）が表す絵文字の形状を予め設定された設定形状に変更するための命令である。
画像変換部（２５）に実行される描画プログラム（２６）は、抽出された連結情報と抽出された描画コマンドとに従って、サイズが変更された画像（１０）の画像要素（３、４−１、４−２、４−３、４−４、５）が表す絵文字の形状を設定形状に変更する（形状変更処理；Ｓ５）。
このため、本発明の画像変換処理装置（１１）によれば、変更画像（５０）を表示したときに、使用者は、変更画像（５０）の画像要素（３、４−１、４−２、４−３、４−４、５、６）が表す絵文字をより理解することができ、使用者に臨場感を与えることができる。本発明の画像変換処理装置（１１）によれば、サイズが変更された画像（１０）の品質がより向上する。
【００２５】
本発明の画像変換処理装置（１１）において、画像サイズ変更指示が画像拡大指示であるとき、画像変換部（２５）は、画像拡大指示に従って画像（１０）を拡大する（サイズ変更処理；Ｓ４）。
画像変換部（２５）に実行される描画プログラム（２６）は、抽出された連結情報と抽出された描画コマンドとに従って、拡大された画像（１０）の画像要素（３、４−１、４−２、４−３、４−４、５、６）が表す絵文字の形状を変更する（形状変更処理；Ｓ５）。
本発明の画像変換処理装置（１１）によれば、画像（１０）のサイズを変更した場合として、特に、画像（１０）を拡大した場合、サイズが変更された画像（１０）の品質が向上する。
【００２６】
本発明の画像変換処理装置（１１）は、携帯端末（２０）に適用される。上記の使用者は、携帯端末（２０）の使用者である。携帯端末（２０）は、上記の画像変換処理装置（１１）と、表示装置（１２）とを具備する。表示装置（１２）は、画像変換処理装置（１１）から出力される変更画像（５０）を表示する。
【発明の効果】
【００２７】
本発明の画像変換処理装置は、画像のサイズを変更したときに、サイズが変更された画像の品質が向上する。
【００２８】
本発明の画像変換処理装置は、記憶装置の記憶容量を増加させる必要がなく、且つ、サイズが変更された画像の品質が向上する。
【００２９】
本発明の画像変換処理装置は、画像のサイズを変更してその画像を表示装置に表示したときに、使用者に臨場感を与えることができる。
【００３０】
本発明の画像変換処理装置は、画像のサイズを変更してその画像を表示装置に表示したときに、画像の画像要素が表す絵文字を使用者が理解することができる。
【発明を実施するための最良の形態】
【００３１】
添付図面を参照して、本発明の画像変換処理装置を実施するための最良の形態を以下に説明する。本発明の画像変換処理装置は、携帯端末に適用される。携帯端末としては携帯電話機、ＰＤＡ（Personal Digital Assistant）が例示される。携帯端末が携帯電話機である場合を例にして説明する。
【００３２】
（第１実施形態）
図４は、本発明の画像変換処理装置が適用された携帯端末２０の構成を示すブロック図である。携帯電話機２０は、本発明の画像変換処理装置である制御装置１１と、表示装置１２と、通信部１３と、操作部１４と、送話部１５と、受話部１６とを具備する。制御装置１１には、表示装置１２と通信部１３と操作部１４と送話部１５と受話部１６とが接続されている。通信部１３は、ネットワーク１７を介して相手先の電話機１８、サーバ１９に接続されている。
【００３３】
使用者は、携帯電話機２０を用いて電話、電子メールをすることができる。携帯電話機２０は、通話要求処理、通話処理、電子メール処理を行う。通話要求処理は、操作部１４の操作に応じて通話要求を行う。通話処理は、使用者の通話要求、相手先からの通話要求に対して通話を行う。電子メール処理では、携帯電話機２０の制御装置１１は、操作部１４の操作に応じて電子メールを作成して、その電子メールが送信されるように通信部１３を制御する。電子メール処理では、制御装置１１は、ネットワーク１７からの電子メールが受信されるように通信部１３を制御する。
【００３４】
通話要求処理、通話処理について簡単に説明する。
使用者が携帯電話機２０を用いて相手先に電話をかけるとき、携帯電話機２０は、通話要求処理を行う。制御装置１１は、使用者が行う操作部１４の操作により、ユーザ通話要求を表すベースバンド信号を通信部１３に出力する。通信部１３は、ベースバンド信号（ユーザ通話要求）を送信／発信するための無線信号に変換し、その無線信号（ユーザ通話要求）をネットワーク１７（基地局端末）を介して相手先の電話機１８に送信／発信する。
相手先が電話に出た場合、携帯電話機２０は、通話処理を行う。
送話部１５は、使用者の音声を入力し、制御装置１１に出力する。制御装置１１は、送話部１５からのユーザの音声を表すユーザ音声信号（ベースバンド信号）に変換し、そのベースバンド信号（ユーザ音声信号）を通信部１３に出力する。通信部１３は、制御装置１１からのベースバンド信号（ユーザ音声信号）を送信するための無線信号（ユーザ音声信号）に変換し、その無線信号をネットワーク１７（基地局端末）を介して相手先の電話機１８に送信する。
通信部１３は、相手先の電話機１８からの無線信号（相手先の音声を表す相手先音声信号）をベースバンド信号（相手先音声信号）に変換し、ベースバンド信号（相手先音声信号）を制御装置１１に出力する。制御装置１１は、ベースバンド信号（相手先音声信号）を受話部１６が出力するための音声に変換する。受話部１６は、相手先の音声を出力する。
この通話処理は、相手先又はユーザが電話を切るまで行われる。
【００３５】
図５は、本発明の画像変換処理装置１１（以下、制御装置１１を画像変換処理装置１１と称する）の構成を示すブロック図である。画像変換処理装置１１は、コンピュータであり、ＣＰＵ２９と、記憶装置３０とを具備する。記憶装置３０は、標準画像格納メモリ２１と、連結状態情報格納メモリ２２と、実行メモリ２８とを備えている。
【００３６】
図６は、本発明の画像変換処理装置１１の標準画像格納メモリ２１に格納された複数の画像データを示す図である。標準画像格納メモリ２１には、複数の画像データが格納されている。
複数の画像データのそれぞれは、予めに決められたサイズ（標準サイズ）の画像と、画像を識別するための画像識別子とを含む。画像識別子は、画像の名称を表す。画像は、ｍ行ｎ列（ｍ×ｎ；ｍ、ｎは自然数）のドットにより形成されている。画像が文字（記号、数字を含む）を表す場合、画像は、ｍ行ｎ列のドットのうちの複数のドットにより文字が形成された画像要素を有し、画像要素は文字の形状を表す。画像が絵文字（ピクトグラム）を表す場合、画像は、ｍ行ｎ列のドットのうちの複数のドットにより絵文字が形成された画像要素を有し、画像要素は絵文字の形状を表す。
【００３７】
複数の画像データは、作成者により作成される。複数の画像データは、携帯電話機２０を出荷・販売する前に予めに標準画像格納メモリ２１に格納される。
また、携帯電話機２０は、画像データ取得処理として、複数の画像データをサーバ１９から取得することができる。複数の画像データは、サーバ１９の記憶装置に格納され、携帯電話機２０の画像変換処理装置１１は、使用者が行う操作部１４の操作に応じて、ネットワーク１７を介してサーバ１９から、複数の画像データのうちの少なくとも１つの画像データが取得されるように、通信部１３を制御する。画像変換処理装置１１は、取得した画像データを標準画像格納メモリ２１に格納する。
【００３８】
図７は、本発明の画像変換処理装置１１の連結状態情報格納メモリ２２に格納された複数の連結状態データを示す図である。連結状態情報格納メモリ２２には、複数の連結状態データが格納されている。
複数の連結状態データのそれぞれは、（ｍ×ｎ）個の連結状態情報と、（ｍ×ｎ）個の連結状態情報を識別するための連結状態情報識別子とを含む。連結状態情報識別子は、画像の名称と連結状態情報の名称とを表す。複数の連結状態データのうちの１つの連結状態データに含まれる連結状態情報識別子が表す画像の名称と、標準画像格納メモリ２１に格納された複数の画像データのうちの１つの画像データに含まれる画像識別子が表す画像の名称とは一致している。その画像データの画像が形成されるｍ行ｎ列のドットのそれぞれに対して、その連結状態データの（ｍ×ｎ）個の連結状態情報のそれぞれが対応付けられている。連結状態情報は、画像要素内での複数のドットの連結状態を表す連結情報と、画像要素に対する描画コマンドとを有する。描画コマンドは、画像要素が表す絵文字の形状を予め設定された設定形状に変更（描画）するための命令である。
【００３９】
複数の連結状態データは、作成者により作成される。複数の連結状態データは、携帯電話機２０を出荷・販売する前に予めに連結状態情報格納メモリ２２に格納される。
また、携帯電話機２０は、連結状態データ取得処理として、複数の連結状態データをサーバ１９から取得することができる。複数の連結状態データは、サーバ１９の記憶装置に格納され、携帯電話機２０の画像変換処理装置１１は、使用者が行う操作部１４の操作に応じて、ネットワーク１７を介してサーバ１９から、複数の連結状態データのうちの少なくとも１つの連結状態データが取得されるように、通信部１３を制御する。画像変換処理装置１１は、取得した連結状態データを連結状態情報格納メモリ２２に格納する。
【００４０】
図８は、本発明の画像変換処理装置１１の記憶装置３０の実行メモリ２８に格納されたコンピュータプログラムを示す図である。実行メモリ２８には、ＣＰＵ２９が実行するためのコンピュータプログラムである標準画像読出部２３、連結状態情報読出部２４、画像変換部２５、通話処理部２７が格納されている（インストールされている）。画像変換部２５は、連結情報と描画コマンドとに対応する描画部２６を含む。通話処理部２７は、上述した通話要求処理、通話処理、電子メール処理を行う。
標準画像読出部２３は、上述した画像データ取得処理を実行するプログラムと、画像データを読み出す画像読出処理を実行するプログラムとを含む。
連結状態情報読出部２４は、上述した連結状態データ取得処理を実行するプログラムと、連結状態データを読み出す連結状態情報読出処理を実行するプログラムとを含む。
画像変換部２５は、標準画像読出部２３により読み出された画像データの画像から（ｍ×ｎ）個のドットを抽出し、連結状態情報読出部２４により読み出された連結状態データの（ｍ×ｎ）個の連結状態情報のそれぞれから連結情報と描画コマンドとを抽出する抽出処理を実行するプログラムを含む。画像変換部２５は、抽出された連結情報と抽出された描画コマンドとに基づいて、画像に対して描画部２６を実行する。
画像変換部２５は、更に、画像サイズ変更指示に従って画像のサイズを変更するサイズ変更処理を実行するドット方式プログラムを含む。
画像変換部２５の描画部２６は、描画コマンドと描画コマンドにより描画される絵文字の形状（設定形状）とを予めに認識している。抽出部２８は、画像サイズ変更指示と連結情報と描画コマンドとに従って、サイズが変更された画像の画像要素が表す絵文字の形状を設定形状に変更する形状変更処理を実行するベクトル描画プログラム（ベクトル方式プログラム）である。
【００４１】
図９は、本発明の画像変換処理装置１１の動作を示すフローチャート図である。
【００４２】
まず、画像変換処理装置１１は、画像読出処理を実行する（ステップＳ１）。
画像変換処理装置１１の標準画像読出部２３は、使用者が行う操作により操作部１４から画像識別子表示指示を入力する。標準画像読出部２３は、画像識別子表示指示に従って、標準画像格納メモリ２１に格納された複数の画像データのそれぞれの画像識別子を表示装置１２に表示する。
次に、標準画像読出部２３は、使用者が行う操作により操作部１４から画像読出指示を入力する。画像読出指示は、選択画像識別子を含む。標準画像読出部２３は、画像読出指示に従って、標準画像格納メモリ２１に格納された複数の画像データから、選択画像識別子に一致する画像識別子を含む画像データを読み出す。
【００４３】
画像変換処理装置１１は、連結状態情報読出処理を実行する（ステップＳ２）。
連結状態情報読出部２４は、使用者が行う操作により操作部１４から連結状態情報識別子表示指示を入力する。連結状態情報読出部２４は、連結状態情報識別子表示指示に従って、連結状態情報格納メモリ２２に格納された複数の連結状態データのそれぞれの連結状態情報識別子を表示装置１２に表示する。
次に、連結状態情報読出部２４は、使用者が行う操作により操作部１４から連結状態情報読出指示を入力する。連結状態情報読出指示は、選択連結状態情報識別子を含む。連結状態情報読出部２４は、連結状態情報読出指示に従って、連結状態情報格納メモリ２２に格納された複数の連結状態データから、選択連結状態情報識別子に一致する連結状態情報識別子を含む連結状態データを読み出す。
ここでは、画像変換処理装置１１が、画像読出処理（ステップＳ１）を実行した後に連結状態情報読出処理（ステップＳ２）を実行しているが、連結状態情報読出処理（ステップＳ２）を実行した後に画像読出処理（ステップＳ１）を実行してもよい。
【００４４】
次に、画像変換処理装置１１は、抽出処理を実行する（ステップＳ３）。
画像変換部２５は、標準画像読出部２３により読み出された画像データから画像を抽出し、連結状態情報読出部２４により読み出された連結状態データの（ｍ×ｎ）個の連結状態情報から連結情報と描画コマンドとを抽出する。画像変換部２５は、画像を抽出するとき、画像の（ｍ×ｎ）個のドットのうちの１行分のドットを順次に抽出し、連結情報と描画コマンドとを抽出するとき、（ｍ×ｎ）個の連結状態情報のうちの画像の１行分のドットに対応する連結状態情報の連結情報と描画コマンドとを順次に抽出する。
画像変換部２５は、画像と連結情報と描画コマンドとを抽出したとき、画像サイズ変更指示要求を表示装置１２に表示し、抽出された連結情報と抽出された描画コマンドとに基づいて、抽出された画像に対して描画部２６を実行する。描画部２６は、抽出された連結情報により、画像要素内での複数のドットの連結状態を認識し、抽出された描画コマンドにより、画像要素が表す絵文字の形状を変更すべき設定形状を認識する。
【００４５】
次に、画像変換処理装置１１は、サイズ変更処理を実行する（ステップＳ４）。
画像変換部２５は、使用者が行う操作により操作部１４から画像サイズ変更指示を入力する。画像サイズ変更指示は、使用者が選択した画像データの画像のサイズをＮ倍（Ｎは０より大きい整数）するための命令である。
画像変換部２５は、画像サイズ変更指示に従って、抽出された画像のサイズを変更して（Ｎ倍する）、サイズ変更画像を生成する。サイズ変更画像は、（ｍ×Ｎ）行（ｎ×Ｎ）列のドットにより形成されている。
【００４６】
次に、画像変換処理装置１１は、形状変更処理を実行する（ステップＳ５）。
画像変換部２５の描画部２６は、画像サイズ変更指示と抽出された連結情報と抽出された描画コマンドとに従って、サイズ変更画像の画像要素が表す絵文字の形状を設定形状に変更し、サイズ・形状変更画像を生成する。サイズ・形状変更画像は、サイズ変更画像と同様に（ｍ×Ｎ）行（ｎ×Ｎ）列のドットにより形成されている。
【００４７】
次に、画像変換処理装置１１は、表示処理を実行する（ステップＳ６）。
画像変換部２５は、サイズ・形状変更画像を表示装置１２に表示する。使用者は、表示装置１２に表示されたサイズ・形状変更画像を見て楽しむことができる。
使用者は、表示装置１２に表示されたサイズ・形状変更画像を、例えば、電子メールに添付する画像、他の画像と併用するための画像として使用したい場合、そのサイズ・形状変更画像を記憶装置３０の上記のメモリ以外の記憶領域に格納することができる。この場合、画像変換部２５は、使用者による操作部１４の操作に応じて、表示装置１２に表示されたサイズ・形状変更画像を上記の記憶領域に格納する。
【００４８】
本発明の画像変換処理装置１１によれば、連結情報と描画コマンドとに従って、サイズが変更された画像（サイズ変更画像）の画像要素が表す絵文字の形状を設定形状に変更するため、サイズ・形状変更画像を表示装置１２に表示したときに、携帯電話機２０の使用者は、サイズ・形状変更画像の画像要素が表す絵文字を理解することができる。
また、本発明の画像変換処理装置１１によれば、連結情報と描画コマンドとに従って、サイズが変更された画像（サイズ変更画像）の画像要素が表す絵文字の形状を設定形状に変更するため、サイズ・形状変更画像を表示装置１２に表示したときに、携帯電話機２０の使用者に臨場感を与えることができる。
このため、本発明の画像変換処理装置１１によれば、サイズが変更された画像の品質が向上する。
【００４９】
また、本発明の画像変換処理装置１１によれば、連結状態情報の数は、画像が形成されるドットの数により予めに決められる。このため、本発明の画像変換処理装置１１は、同じ種類（同じ文字、同じ絵文字）の画像をサイズ別に記憶装置に格納する場合、前述の（ＩＩ）ベクトル表示方式の場合に比べて、記憶装置３０の記憶容量を小さくすることができる。前述の（ＩＩ）ベクトル表示方式では、輪郭情報を記憶装置に格納する必要があり、絵文字の形状が複雑である場合、数多くの輪郭情報が必要となり、数多くの輪郭情報を記憶装置３０に格納しなければならない。本発明の画像変換処理装置１１では、絵文字の形状が複雑である場合でも、１つの画像に対して予めに決められた数の連結状態情報のみ記憶装置３０に格納するだけでよい。
【００５０】
このように、本発明の画像変換処理装置１１によれば、記憶装置３０の記憶容量を増加させる必要がなく、且つ、サイズが変更された画像の品質が向上する。
【００５１】
サイズが変更された画像の品質を向上させることについて、図１０〜図１３を用いて具体的に説明する。
【００５２】
図１０は、複数の画像データのうちの１つの画像データに含まれる画像１０（絵文字）を示す図である。画像の作成者は、図示しない情報処理装置を用いて、図１０に示されるような画像１０（絵文字）を予めに作成する。図１０に示される絵文字（ピクトグラム）は、文字とは異なり、多くの色が使用され、且つ、ドット単位に色が決定される。
画像１０は、１２行１２列（１２×１２、ｍ＝１２、ｎ＝１２）のドットにより形成され、画像要素１“第１花”と画像要素２“第２花”とを有する。１行目１列目のドットを原点とし、以下、ｘ行目ｙ行目のドットを［ｘ、ｙ]ドットと称する。画像要素１“第１花”、画像要素２“第２花”は、画像要素３“花弁”、画像要素４−１“第１水滴”、画像要素４−２“第２水滴”、画像要素４−３“第３水滴”、画像要素４−４“第４水滴”、画像要素５“子房”、画像要素６“花柄・葉”を含む。
【００５３】
画像１０の画像要素１“第１花”について説明する。
画像１０の画像要素１“第１花”に含まれる画像要素３“花弁”は、［２、４]、［３、３]、［３、５]、［４、２]、［４、６]、［５、３]、［５、５]、［６、４]ドットにより形成され、［２、４]、［３、３]、［３、５]、［４、２]、［４、６]、［５、３]、［５、５]、［６、４]ドットは、第１色（第１階調）により表される。
画像１０の画像要素１“第１花”に含まれる画像要素４−１“第１水滴”は、［３、４]ドットにより形成され、［３、４]ドットは、第１色とは異なる第２色（第２階調）により表される。
画像１０の画像要素１“第１花”に含まれる画像要素４−２“第２水滴”は、［４、３]ドットにより形成され、［４、３]ドットは、第２色により表される。
画像１０の画像要素１“第１花”に含まれる画像要素４−３“第３水滴”は、［４、５]ドットにより形成され、［４、５]ドットは、第２色により表される。
画像１０の画像要素１“第１花”に含まれる画像要素４−４“第４水滴”は、［５、４]ドットにより形成され、［５、４]ドットは、第２色により表される。
画像１０の画像要素１“第１花”に含まれる画像要素５“子房”は、［４、４]ドットにより形成され、第１色、第２色とは異なる第３色（第３階調）により表される。
画像１０の画像要素１“第１花”に含まれる画像要素６“花柄・葉”は、［７、４]、［８、４]、［９、４]、［１０、４]、［７、２]、［８、２]、［９、３]、［７、６]、［８、６]、［９、５]ドットにより形成され、［７、４]、［８、４]、［９、４]、［１０、４]、［７、２]、［８、２]、［９、３]、［７、６]、［８、６]、［９、５]ドットは、第１色、第２色、第３色とは異なる第４色（第４階調）により表される。
【００５４】
画像１０の画像要素２“第２花”は、画像１０の画像要素１“第１花”を２行５列ドット分だけシフトさせたものである。
【００５５】
図１１は、複数の連結状態データのうちの１つの連結状態データに含まれる１４４個（１２×１２、ｍ＝１２、ｎ＝１２）の連結状態情報４０を示す図である。画像の作成者は、図示しない情報処理装置を用いて、画像１０が形成される１２行１２列のドットのそれぞれに対して、（１２×１２）個の連結状態情報のそれぞれが対応付けられるように、（１２×１２）個の連結状態情報４０を予めに作成する。
１行目１列目の連結状態情報を原点とし、以下、ｘ行目ｙ行目の連結状態情報を［ｘ、ｙ]連結状態情報と称し、［ｘ、ｙ]連結状態情報の連結情報を［ｘ、ｙ]連結情報と称し、［ｘ、ｙ]連結状態情報の描画コマンドを［ｘ、ｙ]描画コマンドと称する。
【００５６】
画像１０の画像要素１“第１花”に対応付けられた連結状態情報について説明する。
画像１０の画像要素１“第１花”に含まれる画像要素３“花弁”を形成する［２、４]、［３、３]、［３、５]、［４、２]、［４、６]、［５、３]、［５、５]、［６、４]ドットのそれぞれに対して、［２、４]、［３、３]、［３、５]、［４、２]、［４、６]、［５、３]、［５、５]、［６、４]連結状態情報のそれぞれが対応付けられる。
［２、４]連結状態情報は、［２、４]連結情報“基準”と、［２、４]描画コマンド“円型”とを有する。［２、４]連結情報“基準”は、画像要素３“花弁”内での［２、４]ドットが基準のドットであることを表す。［２、４]描画コマンド“円型”は、画像要素３“花弁”が表す絵文字の形状を描画するための命令である。
［３、３]連結状態情報は、［３、３]連結情報“右上”を有する。［３、３]連結情報“右上”は、画像要素３“花弁”内での［３、３]ドットと［２、４]ドットとの連結状態を表す。
［３、５]連結状態情報は、［３、５]連結情報“左上”を有する。［３、５]連結情報“左上”は、画像要素３“花弁”内での［３、５]ドットと［２、４]ドットとの連結状態を表す。
［４、２]連結状態情報は、［４、２]連結情報“右上”を有する。［４、２]連結情報“右上”は、画像要素３“花弁”内での［４、２]ドットと［３、３]ドットとの連結状態を表す。
［４、６]連結状態情報は、［４、６]連結情報“左上”を有する。［４、６]連結情報“左上”は、画像要素３“花弁”内での［４、６]ドットと［３、５]ドットとの連結状態を表す。
［５、３]連結状態情報は、［５、３]連結情報“左上”を有する。［５、３]連結情報“左上”は、画像要素３“花弁”内での［５、３]ドットと［４、２]ドットとの連結状態を表す。
［５、５]連結状態情報は、［５、５]連結情報“右上”を有する。［５、５]連結情報“右上”は、画像要素３“花弁”内での［５、５]ドットと［４、６]ドットとの連結状態を表す。
［６、４]連結状態情報は、［６、４]連結情報“左上、右上”を有する。［６、４]連結情報“左上、右上”は、画像要素３“花弁”内での［６、４]ドットと［５、３]ドットと［５、５]ドットとの連結状態を表す。
【００５７】
画像１０の画像要素１“第１花”に含まれる画像要素４−１“第１水滴”を形成する［３、４]ドットに対して、［３、４]連結状態情報が対応付けられる。［３、４]連結状態情報は、［３、４]連結情報“単独”と、［３、４]描画コマンド“第１水滴型”とを有する。［３、４]連結情報“単独”は、画像要素４−１“第１水滴”内での［３、４]ドットが単独のドットであることを表す。［３、４]描画コマンド“第１水滴型”は、画像要素４−１“第１水滴”が表す絵文字の形状を描画するための命令である。
画像１０の画像要素１“第１花”に含まれる画像要素４−２“第２水滴”を形成する［４、３]ドットに対して、［４、３]連結状態情報が対応付けられる。［４、３]連結状態情報は、［４、３]連結情報“単独”と、［４、３]描画コマンド“第２水滴型”とを有する。［４、３]連結情報“単独”は、画像要素４−２“第２水滴”内での［４、３]ドットが単独のドットであることを表す。［４、３]描画コマンド“第２水滴型”は、画像要素４−２“第２水滴”が表す絵文字の形状を描画するための命令である。
画像１０の画像要素１“第１花”に含まれる画像要素４−３“第３水滴”を形成する［５、４]ドットに対して、［５、４]連結状態情報が対応付けられる。［５、４]連結状態情報は、［５、４]連結情報“単独”と、［５、４]描画コマンド“第３水滴型”とを有する。［５、４]連結情報“単独”は、画像要素４−３“第３水滴”内での［５、４]ドットが単独のドットであることを表す。［５、４]描画コマンド“第３水滴型”は、画像要素４−３“第３水滴”が表す絵文字の形状を描画するための命令である。
画像１０の画像要素１“第１花”に含まれる画像要素４−４“第４水滴”を形成する［４、５]ドットに対して、［４、５]連結状態情報が対応付けられる。［４、５]連結状態情報は、［４、５]連結情報“単独”と、［４、５]描画コマンド“第４水滴型”とを有する。［４、５]連結情報“単独”は、画像要素４−４“第４水滴”内での［４、５]ドットが単独のドットであることを表す。［４、５]描画コマンド“第４水滴型”は、画像要素４−４“第４水滴”が表す絵文字の形状を描画するための命令である。
【００５８】
画像１０の画像要素１“第１花”に含まれる画像要素５“子房”を形成する［４、４]ドットに対して、［４、４]連結状態情報が対応付けられる。［４、４]連結状態情報は、［４、４]連結情報“単独”と、［４、４]描画コマンド“円型”とを有する。［４、４]連結情報“単独”は、画像要素５“子房”内での［４、４]ドットが単独のドットであることを表す。［４、４]描画コマンド“円型”は、画像要素５“子房”が表す絵文字の形状を描画するための命令である。
【００５９】
画像１０の画像要素１“第１花”に含まれる画像要素６“花柄・葉”を形成する［７、４]、［８、４]、［９、４]、［１０、４]、［７、２]、［８、２]、［９、３]、［７、６]、［８、６]、［９、５]ドットのそれぞれに対して、［７、４]、［８、４]、［９、４]、［１０、４]、［７、２]、［８、２]、［９、３]、［７、６]、［８、６]、［９、５]連結状態情報のそれぞれが対応付けられる。
［７、４]連結状態情報は、［７、４]連結情報“基準”を有する。［７、４]連結情報“基準”は、画像要素６“花柄・葉”内での［７、４]ドットが基準のドットであることを表す。
［８、４]連結状態情報は、［８、４]連結情報“上”を有する。［８、４]連結情報“上”は、画像要素６“花柄・葉”内での［８、４]ドットと［７、４]ドットとの連結状態を表す。
［９、４]連結状態情報は、［９、４]連結情報“上”を有する。［９、４]連結情報“上”は、画像要素６“花柄・葉”内での［９、４]ドットと［８、４]ドットとの連結状態を表す。
［１０、４]連結状態情報は、［１０、４]連結情報“上”、“左上”、“右上”を有する。［１０、４]連結情報“上”、“左上”、“右上”は、画像要素６“花柄・葉”内での［１０、４]ドットと［９、４]ドットとの連結状態を表し、［１０、４]ドットと［９、３]ドットとの連結状態を表し、［１０、４]ドットと［９、５]ドットとの連結状態を表す。
［７、２]連結状態情報は、［７、２]連結情報“基準”を有する。［７、２]連結情報“基準”は、画像要素６“花柄・葉”内での［７、２]ドットが基準のドットであることを表す。
［８、２]連結状態情報は、［８、２]連結情報“上”を有する。［８、２]連結情報“上”は、画像要素６“花柄・葉”内での［８、２]ドットと［７、２]ドットとの連結状態を表す。
［９、３]連結状態情報は、［９、３]連結情報“左上”を有する。［９、３]連結情報“左上”は、画像要素６“花柄・葉”内での［９、３]ドットと［８、２]ドットとの連結状態を表す。
［７、６]連結状態情報は、［７、６]連結情報“基準”を有する。［７、６]連結情報“基準”は、画像要素６“花柄・葉”内での［７、６]ドットが基準のドットであることを表す。
［８、６]連結状態情報は、［８、６]連結情報“上”を有する。［８、６]連結情報“上”は、画像要素６“花柄・葉”内での［８、６]ドットと［７、６]ドットとの連結状態を表す。
［９、５]連結状態情報は、［９、５]連結情報“右上”を有する。［９、５]連結情報“右上”は、画像要素６“花柄・葉”内での［９、５]ドットと［８、６]ドットとの連結状態を表す。
【００６０】
画像１０の画像要素２“第２花”に対応付けて作成される連結状態情報は、画像１０の画像要素１“第１花”に対応付けて作成される連結状態情報を２行５列ドット分だけシフトさせたものである。
【００６１】
図１２は、連結状態情報に含まれる描画コマンドにより描画される絵文字の形状を示す図である。画像変換部２５の描画部２６は、図１２に示されるような複数の描画コマンドと複数の描画コマンドにより描画される絵文字の形状とを予めに認識している。
複数の描画コマンドのうちの描画コマンド“円型”は、画像要素が表す絵文字の形状を、予め設定された設定形状として円型にするための命令である。
複数の描画コマンドのうちの描画コマンド“三角型”は、画像要素が表す絵文字の形状を、予め設定された設定形状として三角型にするための命令である。
複数の描画コマンドのうちの描画コマンド“四角型”は、画像要素が表す絵文字の形状を、予め設定された設定形状として四角型にするための命令である。
複数の描画コマンドのうちの描画コマンド“第１水滴型”は、画像要素が表す絵文字の形状を、予め設定された設定形状としてＺ１方向に落ちる水滴型にするための命令である。
複数の描画コマンドのうちの描画コマンド“第２水滴型”は、画像要素が表す絵文字の形状を、予め設定された設定形状としてＺ２方向（Ｚ１方向に対して＋９０度）に落ちる水滴型にするための命令である。
複数の描画コマンドのうちの描画コマンド“第３水滴型”は、画像要素が表す絵文字の形状を、予め設定された設定形状としてＺ３方向（Ｚ１方向に対して＋１８０度、Ｚ２方向に対して＋９０度）に落ちる水滴型にするための命令である。
複数の描画コマンドのうちの描画コマンド“第４水滴型”は、画像要素が表す絵文字の形状を、予め設定された設定形状としてＺ４方向（Ｚ１方向に対して−９０度、Ｚ３方向に対して＋９０度）に落ちる水滴型にするための命令である。
【００６２】
図１３は、本発明の画像変換処理装置１１により拡大された画像（上記のサイズ・形状変更画像）を示す図である。上記の画像サイズ変更指示が、画像１０を拡大するための画像拡大指示であり、画像のサイズを３倍（Ｎ＝３）にするための命令であるとき、画像変換処理装置１１の画像変換部２５の変換部２７は、画像１０を３倍にして、サイズ変更画像（図２参照）を生成する。画像変換部２５の描画部２６は、画像サイズ変更指示（画像拡大指示）と連結情報と描画コマンドとに従って、サイズ変更画像の画像要素が表す絵文字の形状を設定形状に変更し、図１３に示されるようなサイズ・形状変更画像５０を生成する。
【００６３】
サイズ・形状変更画像５０は、３６行３６列（３６×３６）のドットにより形成され、画像要素５１“第１花”と画像要素５２“第２花”とを有する。画像要素５１“第１花”、画像要素５２“第２花”のそれぞれは、画像要素１“第１花”、画像要素２“第２花”のそれぞれを３倍した画像要素である。１行目１列目のドットを原点とし、以下、ｘ’行目ｙ’行目のドットを［ｘ’、ｙ’]ドットと称する。画像要素５１“第１花”、画像要素５２“第２花”は、画像要素５３“花弁”、画像要素５４−１“第１水滴”、画像要素５４−２“第２水滴”、画像要素５４−３“第３水滴”、画像要素５４−４“第４水滴”、画像要素５５“子房”、画像要素５６“花柄・葉”を含む。画像要素５３“花弁”、画像要素５４−１“第１水滴”、画像要素５４−２“第２水滴”、画像要素５４−３“第３水滴”、画像要素５４−４“第４水滴”、画像要素５５“子房”、画像要素５６“花柄・葉”のそれぞれは、画像１０の画像要素３“花弁”、画像要素４−１“第１水滴”、画像要素４−２“第２水滴”、画像要素４−３“第３水滴”、画像要素４−４“第４水滴”、画像要素５“子房”、画像要素６“花柄・葉”のそれぞれを３倍した画像要素である。
【００６４】
次に、画像変換処理装置１１の画像変換部２５の動作として抽出処理（ステップＳ３）、サイズ変更処理（ステップＳ４）、形状変更処理（ステップＳ５）について、画像１０の画像要素１“第１花”を例にして詳細に説明する。
【００６５】
まず、抽出処理（ステップＳ３）について説明する。
画像変換部２５は、標準画像読出部２３により読み出された画像データから画像１０を抽出し、連結状態情報読出部２４により読み出された連結状態データの（ｍ×ｎ）個の連結状態情報４０から連結情報と描画コマンドとを抽出する。画像変換部２５は、画像１０を抽出するとき、画像の（１２×１２）個のドットのうちの１行分（１×１２）のドットを順次に抽出し、連結情報と描画コマンドとを抽出するとき、（１２×１２）個の連結状態情報４０のうちの画像の１行分（１×１２）のドットに対応する連結状態情報の連結情報と描画コマンドとを順次に抽出する。画像変換部２５は、画像１０と連結情報と描画コマンドとを抽出したとき、画像サイズ変更指示要求を表示装置１２に表示し、抽出された連結情報と抽出された描画コマンドとに基づいて、抽出された画像１０に対して描画部２６を実行する。
【００６６】
描画部２６は、抽出された画像１０により、画像１０の［２、４]、［３、３]、［３、５]、［４、２]、［４、６]、［５、３]、［５、５]、［６、４]ドットが第１色により表されることを認識する。
描画部２６は、抽出された画像１０により、画像１０の［３、４]、［４、３]、［４、５]、［５、４]ドットが第２色により表されることを認識する。
描画部２６は、抽出された画像１０により、画像１０の［４、４]ドットが第３色により表されることを認識する。
描画部２６は、抽出された画像１０により、画像１０の［７、４]、［８、４]、［９、４]、［１０、４]、［７、２]、［８、２]、［９、３]、［７、６]、［８、６]、［９、５]ドットが第４色により表されることを認識する。
【００６７】
描画部２６は、画像１０の［２、４]、［３、３]、［３、５]、［４、２]、［４、６]、［５、３]、［５、５]、［６、４]ドットが、抽出された連結情報のうちの［２、４]、［３、３]、［３、５]、［４、２]、［４、６]、［５、３]、［５、５]、［６、４]連結情報により、第１色で表される１つの画像要素（画像１０の画像要素３“花弁”）を形成することを認識する。
描画部２６は、画像１０の［３、４]、［４、３]、［４、５]、［５、４]ドットのうちの［３、４]ドットが、抽出された連結情報のうちの［３、４]連結情報により、第２色で表される１つの画像要素（画像１０の画像要素４−１“第１水滴”）を形成することを認識する。
描画部２６は、画像１０の［３、４]、［４、３]、［４、５]、［５、４]ドットのうちの［４、３]ドットが、抽出された連結情報のうちの［４、３]連結情報により、第２色で表される１つの画像要素（画像１０の画像要素４−２“第２水滴”）を形成することを認識する。
描画部２６は、画像１０の［３、４]、［４、３]、［４、５]、［５、４]ドットのうちの［４、５]ドットが、抽出された連結情報のうちの［４、５]連結情報により、第２色で表される１つの画像要素（画像１０の画像要素４−３“第３水滴”）を形成することを認識する。
描画部２６は、画像１０の［３、４]、［４、３]、［４、５]、［５、４]ドットのうちの［５、４]ドットが、抽出された連結情報のうちの［５、４]連結情報により、第２色で表される１つの画像要素（画像１０の画像要素４−４“第４水滴”）を形成することを認識する。
描画部２６は、画像１０の［４、４]ドットが、抽出された連結情報のうちの［４、４]連結情報により、第３色で表される１つの画像要素（画像要素５“子房”）を形成することを認識する。
描画部２６は、画像１０の［７、４]、［８、４]、［９、４]、［１０、４]、［７、２]、［８、２]、［９、３]、［７、６]、［８、６]、［９、５]ドットが、抽出された連結情報のうちの［７、４]、［８、４]、［９、４]、［１０、４]、［７、２]、［８、２]、［９、３]、［７、６]、［８、６]、［９、５]連結情報により、第４色で表される１つの画像要素（画像要素６“花柄・葉”）を形成することを認識する。
【００６８】
描画部２６は、画像１０の１つの画像要素（画像要素６“花柄・葉”）を形成する［７、４]、［８、４]、［９、４]、［１０、４]、［７、２]、［８、２]、［９、３]、［７、６]、［８、６]、［９、５]ドットのうちの［８、２]、［９、３]、［１０、４]ドットが、抽出された連結情報のうちの［８、２]、［９、３]、［１０、４]連結情報により、始点を［８、２]ドットとし、終点を［１０、４]ドットとする“直線”で表されることを認識する。
描画部２６は、画像１０の１つの画像要素（画像要素６“花柄・葉”）を形成する［７、４]、［８、４]、［９、４]、［１０、４]、［７、２]、［８、２]、［９、３]、［７、６]、［８、６]、［９、５]ドットのうちの［８、６]、［９、５]、［１０、４]ドットが、抽出された連結情報のうちの［８、６]、［９、５]、［１０、４]連結情報により、始点を［８、６]ドットとし、終点を［１０、４]ドットとする“直線”で表されることを認識する。
【００６９】
描画部２６は、認識された１つの画像要素（画像１０の画像要素３“花弁”）が表す絵文字の形状が、抽出された描画コマンドのうちの［２、４]描画コマンドにより、［４、４]ドットを中心とする直径５ドットの“円型”であることを認識する。
描画部２６は、認識された１つの画像要素（画像要素４−１“第１水滴”）が表す絵文字の形状が、抽出された描画コマンドのうちの［３、４]描画コマンドにより、“第１水滴型”であることを認識する。
描画部２６は、認識された１つの画像要素（画像要素４−２“第２水滴”）が表す絵文字の形状が、抽出された描画コマンドのうちの［４、３]描画コマンドにより、“第２水滴型”であることを認識する。
描画部２６は、認識された１つの画像要素（画像要素４−３“第３水滴”）が表す絵文字の形状が、抽出された描画コマンドのうちの［４、５]描画コマンドにより、“第３水滴型”であることを認識する。
描画部２６は、認識された１つの画像要素（画像要素４−４“第４水滴”）が表す絵文字の形状が、抽出された描画コマンドのうちの［５、４]描画コマンドにより、“第４水滴型”であることを認識する。
描画部２６は、認識された１つの画像要素（画像要素５“子房”）が表す絵文字の形状が、抽出された描画コマンドのうちの［４、４]描画コマンドにより、［４、４]ドットを中心とする直径１ドットの“円型”であることを認識する。
【００７０】
次に、サイズ変更処理（ステップＳ４）について説明する。
画像変換部２５は、使用者が行う操作により操作部１４から画像サイズ変更指示を入力する。画像サイズ変更指示は、画像１０を拡大するための画像拡大指示であり、画像１０のサイズを３倍（Ｎ＝３）にするための命令である。
画像変換部２５は、画像サイズ変更指示（画像拡大指示、Ｎ＝３）に従って、抽出された画像１０のサイズを３倍にして、サイズ変更画像を生成する（図２の画像１００参照）。
【００７１】
次に、形状変更処理（ステップＳ５）について説明する。
画像変換部２５の描画部２６は、画像サイズ変更指示（画像拡大指示、Ｎ＝３）と抽出された連結情報と抽出された描画コマンドとに従って、サイズ変更画像の画像要素が表す絵文字の形状を設定形状に変更し、サイズ・形状変更画像５０を生成する。
この描画部２６は、サイズ変更画像の第１画像要素がサイズ変更画像の第２画像要素に囲まれている場合、先に、サイズ変更画像の第１画像要素が表す絵文字の形状を設定形状に変更して、サイズ・形状変更画像５０の第１画像要素を生成する。次に、描画部２６は、サイズ変更画像の第２画像要素が表す絵文字の形状を設定形状に変更して、サイズ・形状変更画像５０の第２画像要素を生成する。本実施例では、第１画像要素として画像要素５“子房”が、第２画像要素として画像要素４−１“第１水滴”、画像要素４−２“第２水滴”、画像要素４−３“第３水滴”、画像要素４−４“第４水滴”に囲まれ、第１画像要素として画像要素４−１“第１水滴”、画像要素４−２“第２水滴”、画像要素４−３“第３水滴”、画像要素４−４“第４水滴”が、第２画像要素として画像要素３“花弁”に囲まれている。
【００７２】
サイズ変更画像の拡大された画像要素５“子房”が、［１０、１０]〜［１０、１２]、［１１、１０]〜［１１、１２]、［１２、１０]〜［１２、１２]ドットにより形成され、第３色により表されている。
この場合、描画部２６は、画像サイズ変更指示（画像拡大指示、Ｎ＝３）と抽出された［４、４]連結情報と抽出された［４、４]描画コマンドとに従って、サイズ変更画像の拡大された画像要素５“子房”が表す絵文字の形状を、設定形状として［１１、１１]ドットを中心とする直径３ドットの“円型”に変更して、サイズ・形状変更画像５０の画像要素５５“子房”を生成する。このとき、サイズ・形状変更画像５０の画像要素５５“子房”は、サイズ変更画像の拡大された画像要素５“子房”を形成する上記のドットから［１０、１０]、［１０、１２]、［１２、１０]、［１２、１２]ドットを除くドットにより形成され、第３色により表されている。
【００７３】
サイズ変更画像の拡大された画像要素４−１“第１水滴”が、［７、１０]〜［７、１２]、［８、１０]〜［８、１２]、［９、１０]〜［９、１２]ドットにより形成され、第２色により表されている。
この場合、描画部２６は、画像サイズ変更指示（画像拡大指示、Ｎ＝３）と抽出された［３、４]連結情報と抽出された［３、４]描画コマンドとに従って、サイズ変更画像の拡大された画像要素４−１“第１水滴”が表す絵文字の形状を、設定形状として“第１水滴型”に変更して、サイズ・形状変更画像５０の画像要素５４−１“第１水滴”を生成する。このとき、サイズ・形状変更画像５０の画像要素５４−１“第１水滴”は、サイズ変更画像の拡大された画像要素４−１“第１水滴”を形成する上記のドットから［９、１０]、［９、１２]ドットを除くドットにより形成され、第２色により表されている。
【００７４】
サイズ変更画像の拡大された画像要素４−２“第２水滴”が、［１０、７]〜［１０、９]、［１１、７]〜［１１、９]、［１２、７]〜［１２、９]ドットにより形成され、第２色により表されている。
この場合、描画部２６は、画像サイズ変更指示（画像拡大指示、Ｎ＝３）と抽出された［４、４]連結情報と抽出された［４、４]描画コマンドとに従って、サイズ変更画像の拡大された画像要素４−２“第２水滴”が表す絵文字の形状を、設定形状として“第２水滴型”に変更して、サイズ・形状変更画像５０の画像要素５４−２“第２水滴”を生成する。このとき、サイズ・形状変更画像５０の画像要素５４−２“第２水滴”は、サイズ変更画像の拡大された画像要素４−２“第２水滴”を形成する上記のドットから［１０、９]、［１２、９]ドットを除くドットにより形成され、第２色により表されている。
【００７５】
サイズ変更画像の拡大された画像要素４−３“第３水滴”が、［１３、１０]〜［１３、１２]、［１４、１０]〜［１４、１２]、［１５、１０]〜［１５、１２]ドットにより形成され、第２色により表されている。
この場合、描画部２６は、画像サイズ変更指示（画像拡大指示、Ｎ＝３）と抽出された［５、４]連結情報と抽出された［５、４]描画コマンドとに従って、サイズ変更画像の拡大された画像要素４−３“第３水滴”が表す絵文字の形状を、設定形状として“第３水滴型”に変更して、サイズ・形状変更画像５０の画像要素５４−３“第３水滴”を生成する。このとき、サイズ・形状変更画像５０の画像要素５４−３“第３水滴”は、サイズ変更画像の拡大された画像要素４−３“第３水滴”を形成する上記のドットから［１３、１０]、［１３、１２]を除くドットにより形成され、第２色により表されている。
【００７６】
サイズ変更画像の拡大された画像要素４−４“第４水滴”が、［１０、１３]〜［１０、１５]、［１１、１３]〜［１１、１５]、［１２、１３]〜［１２、１５]ドットにより形成され、第２色により表されている。
この場合、描画部２６は、画像サイズ変更指示（画像拡大指示、Ｎ＝３）と抽出された［４、５]連結情報と抽出された［４、５]描画コマンドとに従って、サイズ変更画像の拡大された画像要素４−４“第４水滴”が表す絵文字の形状を、設定形状として“第４水滴型”に変更して、サイズ・形状変更画像５０の画像要素５４−４“第４水滴”を生成する。このとき、サイズ・形状変更画像５０の画像要素５４−４“第４水滴”は、サイズ変更画像の拡大された画像要素４−４“第４水滴”を形成する上記のドットから［１０、１３]、［１２、１３]ドットを除くドットにより形成され、第２色により表されている。
【００７７】
サイズ変更画像の拡大された画像要素３“花弁”が、［４、１０]〜［４、１２]、［５、１０]〜［５、１２]、［６、１０]〜［６、１２]、［７、７]〜［７、９]、［７、１３]〜［７、１５]、［８、７]〜［８、９]、［８、１３]〜［８、１５]、［９、７]〜［９、９]、［９、１３]〜［９、１５]、［１０、４]〜［１０、６]、［１０、１６]〜［１０、１８]、［１１、４]〜［１１、６]、［１１、１６]〜［１１、１８]、［１２、４]〜［１２、６]、［１２、１６]〜［１２、１８]、［１３、７]〜［１３、９]、［１３、１３]〜［１３、１５]、［１４、７]〜［１４、９]、［１４、１３]〜［１４、１５]、［１５、７]〜［１５、９]、［１５、１３]〜［１５、１５]、［１６、１０]〜［１６、１２]、［１７、１０]〜［１７、１２]、［１８、１０]〜［１８、１２]ドットにより形成され、第１色により表されている。
この場合、描画部２６は、画像サイズ変更指示（画像拡大指示、Ｎ＝３）と抽出された［２、４]、［３、３]、［３、５]、［４、２]、［４、６]、［５、３]、［５、５]、［６、４]連結情報と抽出された［２、４]描画コマンドとに従って、サイズ変更画像の拡大された画像要素３“花弁”が表す絵文字の形状を、設定形状として、［１１、１１]ドットを中心とする直径１５ドットの“円型”に変更して、サイズ・形状変更画像５０の画像要素５３“花弁”を生成する。このとき、描画部２６は、サイズ・形状変更画像５０の画像要素５４−１“第１水滴”、画像要素５４−２“第２水滴”、画像要素５４−３“第３水滴”、画像要素５４−４“第４水滴”、画像要素５５“子房”が表す絵文字の形状、色を変更しない。サイズ・形状変更画像５０の画像要素５３“花弁”は、サイズ変更画像の拡大された画像要素３“花弁”を形成する上記のドットと［５、８]、［５、９]、［５、１３]、［５、１４]、［６、７]〜［６、９]、［６、１３]〜［６、１５]、［７、７]、［７、１６]、［８、６]、［８、７]、［８、１６]、［８、１７]、［９、６]、［９、７]、［９、１０]、［９、１２]、［９、１６]、［９、１７]、［１０、９]、［１０、１０]、［１０、１２]、［１０、１３]、［１２、９]、［１２、１０]、［１２、１２]、［１２、１３]、［１３、６]、［１３、７]、［１３、１０]、［１３、１２]、［１３、１６]、［１３、１７]、［１４、６]、［１４、７]、［１４、１６]、［１４、１７]、［１５、７]、［１５、１６]、［１６、７]〜［１６、９]、［１６、１３]〜［１６、１５]、［１７、８]、［１７、９]、［１７、１３]、［１７、１４]ドットとにより形成され、第１色により表されている。
【００７８】
サイズ変更画像の拡大された画像要素６“花柄・葉”が、［１９、４]〜［１９、６]、［１９、１０]〜［１９、１２]、［１９、１６]〜［１９、１８]、［２０、４]〜［２０、６]、［２０、１０]〜［２０、１２]、［２０、１６]〜［２０、１８]、［２１、４]〜［２１、６]、［２１、１０]〜［２１、１２]、［２１、１６]〜［２１、１８]、［２２、４]〜［２２、６]、［２２、１０]〜［２２、１２]、［２２、１６]〜［２２、１８]、［２３、４]〜［２３、６]、［２３、１０]〜［２３、１２]、［２３、１６]〜［２３、１８]、［２４、４]〜［２４、６]、［２４、１０]〜［２４、１２]、［２４、１６]〜［２４、１８]、［２５、７]〜［２５、１５]、［２６、７]〜［２６、１５]、［２７、７]〜［２７、１５]、［２８、１０]〜［２８、１２]、［２９、１０]〜［２９、１２]、［３０、１０]〜［３０、１２]ドットにより形成され、第４色により表されている。
この場合、描画部２６は、画像サイズ変更指示（画像拡大指示、Ｎ＝３）と抽出された［８、２]、［９、３]、［１０、４]連結情報とに従って、サイズ変更画像の拡大された画像要素６“花柄・葉”を形成する上記のドットのうちの［２２、４]〜［２２、６]、［２３、４]〜［２３、６]、［２４、４]〜［２４、６]、［２５、７]〜［２５、９]、［２６、７]〜［２６、９]、［２７、７]〜［２７、９]、［２８、１０]〜［２８、１２]、［２９、１０]〜［２９、１２]、［３０、１０]〜［３０、１２]が表す形状を、始点を［２３、５]ドットとし、終点を［２９、１１]ドットとする“直線”に変更する。同時に、描画部２６は、画像サイズ変更指示（画像拡大指示、Ｎ＝３）と抽出された［８、６]、［９、５]、［１０、４]連結情報とに従って、サイズ変更画像の拡大された画像要素６“花柄・葉”を形成する上記のドットのうちの［２２、１６]〜［２２、１８]、［２３、１６]〜［２３、１８]、［２４、１６]〜［２４、１８]、［２５、１３]〜［２５、１５]、［２６、１３]〜［２６、１５]、［２７、１３]〜［２７、１５]、［２８、１０]〜［２８、１２]、［２９、１０]〜［２９、１２]、［３０、１０]〜［３０、１２]が表す形状を、始点を［２３、１７]ドットとし、終点を［２９、１１]ドットとする“直線”に変更して、サイズ・形状変更画像５０の画像要素５６“花柄・葉”を生成する。このとき、サイズ・形状変更画像５０の画像要素５６“花柄・葉”は、サイズ変更画像の拡大された画像要素６“花柄・葉”を形成する上記のドットと［２４、７]、［２４、１５]、［２５、５]、［２５、６]、［２５、１６]、［２５、１７]、［２６、６]、［２６、１６]、［２８、８]、［２８、９]、［２８、１３]、［２８、１４]［２９、９]、［２９、１３]ドットとにより形成され、第４色により表されている。
【００７９】
以上の説明により、本発明の画像変換処理装置１１によれば、画像１０のサイズを変更した場合（特に、画像１０を拡大した場合）、サイズが変更された画像１０の品質が向上する。
この理由として、本発明の画像変換処理装置１１によれば、画像のサイズを変更するときに、連結情報と描画コマンドとに従って、画像（サイズ変更画像）の拡大された画像要素１“第１花”、画像要素２“第２花”が表す絵文字の形状を設定形状に変更してサイズ・形状変更画像５０を生成する。このため、サイズ・形状変更画像５０の画像要素５１“第１花”に含まれる画像要素５６“花柄・葉”と画像要素５２“第２花”に含まれる画像要素５６“花柄・葉”とが結合されることはない。本発明の画像変換処理装置１１は、サイズ・形状変更画像５０の画像要素５１“第１花”、画像要素５２“第２花”の区別を付けることができ、サイズ・形状変更画像５０が携帯電話機２０の表示装置１２に表示されても、携帯電話機２０の使用者は、サイズ・形状変更画像５０の画像要素５１、画像要素５２が表す絵文字“第１花”、“第２花”を理解することができる。
本発明の画像変換処理装置１１によれば、サイズ・形状変更画像５０の画像要素５１“第１花”、画像要素５２“第２花”の区別を付けることができるため、画像１０を拡大して表示装置１２に表示したときに、携帯電話機２０の使用者に臨場感を与えることができる。
【００８０】
本発明の画像変換処理装置１１によれば、特に、サイズ・形状変更画像５０の画像要素５１“第１花”、画像要素５２“第２花”に含まれる画像要素４−１“第１水滴”、画像要素４−２“第２水滴”、画像要素４−３“第３水滴”、画像要素４−４“第４水滴”の区別を付けることができる。このため、サイズ・形状変更画像５０が携帯電話機２０の表示装置１２に表示されても、携帯電話機２０の使用者は、その画像要素４−１、４−２、４−３、４−４が表す絵文字“第１水滴”、“第２水滴”、“第３水滴”、“第４水滴”を理解することができる。
本発明の画像変換処理装置１１によれば、サイズ・形状変更画像５０の画像要素５１“第１花”、画像要素５２“第２花”に含まれる画像要素４−１“第１水滴”、画像要素４−２“第２水滴”、画像要素４−３“第３水滴”、画像要素４−４“第４水滴”の区別を付けることができるため、画像１０を拡大して表示装置１２に表示したときに、携帯電話機２０の使用者に臨場感を与えることができる。
【００８１】
本発明の画像変換処理装置１１によれば、特に、画像１０の作成者がその画像要素１“第１花”、画像要素２“第２花”に含まれる画像要素３“花弁”の形状を“円型”で表されるように画像１０を作成した場合、携帯電話機２０の画像変換処理装置１１が画像１０を拡大したときにサイズ・形状変更画像５０の画像要素５１“第１花”、画像要素５２“第２花”に含まれる画像要素５３“花弁”の形状が“円型”で表される。このため、サイズ・形状変更画像５０が携帯電話機２０の表示装置１２に表示されたとき、携帯電話機２０の使用者は、サイズ・形状変更画像５０の画像要素５１“第１花”、画像要素５２“第２花”に含まれる画像要素５３“花弁”の形状が“円型”であると認識する。その画像要素５３“花弁”の形状が、画像１０の作成者が意図した形状として表示装置１２に表示されるため、画像１０を拡大して表示装置１２に表示したときに携帯電話機２０の使用者に臨場感を与えることができる。
【００８２】
また、本発明の画像変換処理装置１１によれば、画像１０を含む同じ種類の画像をサイズ別に記憶装置に格納する場合、前述の（ＩＩ）ベクトル表示方式の場合に比べて、記憶装置３０の記憶容量を小さくすることができる。
この理由として、上記の画像１０のように画像が（１２×１２）個のドットにより形成され、絵文字の形状が複雑である場合、前述の（ＩＩ）ベクトル表示方式では、（１２×１２）個以上の輪郭情報が必要となり、数多くの輪郭情報を記憶装置３０に格納する必要がある。本発明の画像変換処理装置１１では、絵文字の形状が複雑である場合でも、１つの画像に対して（１２×１２）個の連結状態情報４０のみ記憶装置３０に格納するだけでよい。本発明の画像変換処理装置１１によれば、記憶装置３０の記憶容量を増加させる必要がなく、且つ、サイズが変更された画像（サイズ・形状変更画像５０）の品質が向上する。
【００８３】
（第２実施形態）
第１実施形態では、上記の記憶装置３０内の連結状態情報格納メモリ２２に格納された連結状態データに含まれる（１２×１２）個の連結状態情報４０のうち、画像１０の画像要素１“第１花”、画像要素２“第２花”を形成するドットに対応付けられた連結状態情報が、前述の連結情報を有している（図１０、図１１参照）。画像１０の画像要素１“第１花”の場合、その画像要素１“第１花”に含まれる画像要素６“花柄・葉”を形成するドットのうち、［７、２]、［８、２]、［７、４]、［８、４]、［９、４]、［７、６]、［８、６]ドットについては、画像変換処理装置１１が画像１０をサイズ・形状変更画像５０に変換しても、その形状は変更されない。即ち、画像１０の［７、２]ドットを拡大した場合、画像１０の［７、２]ドットを拡大した部分は、サイズ変更画像、サイズ・形状変更画像５０ともに［１９、４]〜［１９、６]、［２０、４]〜［２０、６]、［２１、４]〜［２１、６]ドットである。
第２実施形態では、上記の記憶装置３０内の連結状態情報格納メモリ２２に格納された連結状態データに含まれる（１２×１２）個の連結状態情報４０のうち、形状変換候補ドットに対応付けられた連結状態情報のみが、前述の連結情報を有している。形状変換候補ドットとは、画像１０をサイズ・形状変更画像５０に変換したときに形状が変更されるドットであり、画像１０の画像要素１“第１花”の場合、その画像要素１“第１花”を形成するドットのうちの［７、２]、［８、２]、［７、４]、［８、４]、［９、４]、［７、６]、［８、６]ドット以外のドットである。第２実施形態では、画像１０の画像要素１“第１花”を例にして、第１実施形態と異なる部分のみ説明する。
【００８４】
図１４に示されるように、画像１０の画像要素１“第１花”に含まれる画像要素６“花柄・葉”を形成する［１０、４]、［９、３]、［９、５]ドットのそれぞれに対して、［１０、４]、［９、３]、［９、５]連結状態情報のそれぞれが対応付けられる。［１０、４]連結状態情報は、前述した［１０、４]連結情報“上”を有する。［９、３]連結状態情報は、前述した［９、３]連結情報“左上”を有する。［９、５]連結状態情報は、前述した［９、５]連結情報“右上”を有する。
【００８５】
前述の抽出処理（ステップＳ３）において、画像変換処理装置１１の画像変換部２５の描画部２６は、抽出された画像１０により、画像１０の［７、４]、［８、４]、［９、４]、［１０、４]、［７、２]、［８、２]、［９、３]、［７、６]、［８、６]、［９、５]ドットが第４色により表されることを認識する。
描画部２６は、画像１０の第４色で表される［７、４]、［８、４]、［９、４]、［１０、４]、［７、２]、［８、２]、［９、３]、［７、６]、［８、６]、［９、５]ドットが、抽出された連結情報のうちの［１０、４]、［９、３]、［９、５]連結情報により、第４色で表される１つの画像要素（画像要素６“花柄・葉”）を形成することを認識する。
その後、画像変換処理装置１１は、前述したサイズ変更処理（ステップＳ４）、前述した形状変更処理（ステップＳ５）、前述した表示処理（ステップＳ６）を実行する。
【００８６】
以上の説明のより、本発明の第２実施形態に係る画像変換処理装置１１によれば、記憶装置３０内の連結状態情報格納メモリ２２に格納された連結状態データに含まれる（１２×１２）個の連結状態情報４０のうち、上記の形状変換候補ドットに対応付けられた連結状態情報のみが連結情報を有している。このため、本発明の第２実施形態に係る画像変換処理装置１１によれば、第１実施形態の場合に比べて、記憶装置３０の記憶容量を小さくすることができる。
【００８７】
（第３実施形態）
第１実施形態、第２実施形態では、記憶装置３０内の標準画像格納メモリ２１に複数の画像データが格納され、記憶装置３０内の連結状態情報格納メモリ２２に複数の連結状態データが格納されている（図６、図７参照）。
第３実施形態では、記憶装置３０内の１つのメモリに、複数の画像データと複数の連結状態データとが格納されている。第３実施形態では、第１実施形態、第２実施形態と異なる部分のみ説明する。
【００８８】
図１５に示されるように、画像変換処理装置１１の記憶装置３０は、標準画像格納メモリ２１と連結状態情報格納メモリ２２とに代えて、格納メモリ６１を備えている。
図１６に示されるように、格納メモリ６１には、複数の画像データと複数の連結状態データとが格納されている。複数の画像データのそれぞれに対して複数の連結状態データのそれぞれが対応付けられて格納メモリ６１に格納されている。複数の画像データのそれぞれは、前述した画像と、前述した画像識別子（画像の名称を表す）とを含む。複数の連結状態データのそれぞれは、前述した（ｍ×ｎ）個の連結状態情報を含む。前述した連結状態情報識別子を含まない。
図１７に示されるように、実行メモリ２８には、ＣＰＵ２９が実行するためのコンピュータプログラムとして、標準画像読出部２３と連結状態情報読出部２４とに代えて、読出部６２が格納されている。読出部６２は、前述した画像データ取得処理を実行する機能と、前述した連結状態データ取得処理を実行する機能と、画像データと連結状態データとを読み出す読出処理を実行する機能とを有する。
【００８９】
図１８は、本発明の画像変換処理装置１１の動作を示すフローチャート図である。
【００９０】
まず、画像変換処理装置１１は、読出処理を実行する（ステップＳ１１）。
画像変換処理装置１１の読出部６２は、使用者が行う操作により操作部１４から画像識別子表示指示を入力する。読出部６２は、画像識別子表示指示に従って、格納メモリ６１に格納された複数の画像データのそれぞれの画像識別子を表示装置１２に表示する。
次に、読出部６２は、使用者が行う操作により操作部１４から画像読出指示を入力する。画像読出指示は、選択画像識別子を含む。標準画像読出部２３は、画像読出指示に従って、格納メモリ６１に格納された複数の画像データ、複数の連結状態データから、選択画像識別子に一致する画像識別子を含む画像データと連結状態データとを読み出す。
その後、画像変換処理装置１１は、前述した抽出処理（ステップＳ３）、前述したサイズ変更処理（ステップＳ４）、前述した形状変更処理（ステップＳ５）、前述した表示処理（ステップＳ６）を実行する。
【００９１】
以上の説明のより、本発明の第３実施形態に係る画像変換処理装置１１によれば、記憶装置３０内の１つのメモリ（格納メモリ６１）に複数の画像データと複数の連結状態データとが対応付けられて格納され、複数の連結状態データのそれぞれは連結状態情報識別子を含まない。このため、本発明の第２実施形態に係る画像変換処理装置１１によれば、第１実施形態、第２実施形態の場合に比べて、記憶装置３０の記憶容量を小さくすることができる。
また、本発明の第３実施形態に係る画像変換処理装置１１によれば、画像識別子表示指示を行うだけで、記憶装置３０内の１つのメモリ（格納メモリ６１）から画像データと連結状態データとを読み出すことができる。このため、上記の読出処理（ステップＳ１１）を実行する実行時間は、前述した画像読出処理（ステップＳ１）と前述した連結状態情報読出処理（ステップＳ２）とを実行する実行時間よりも短い。本発明の第３実施形態に係る画像変換処理装置１１によれば、第１実施形態、第２実施形態の場合｛画像読出処理（ステップＳ１）と連結状態情報読出処理（ステップＳ２）とを実行する場合｝に比べて、高速に画像１０をサイズ・形状変更画像５０に変換することができる。
【図面の簡単な説明】
【００９２】
【図１】画像（絵文字）を示す図である。（従来の技術）
【図２】ドット表示方式により拡大された画像を示す図である。（従来の技術）
【図３】ベクトル表示方式により拡大された画像を示す図である。（従来の技術）
【図４】本発明の画像変換処理装置が適用された携帯端末の構成を示すブロック図である。（第１実施形態〜第３実施形態）
【図５】本発明の画像変換処理装置の構成を示すブロック図である。（第１実施形態、第２実施形態）
【図６】本発明の画像変換処理装置の標準画像格納メモリに格納された複数の画像データを示す図である。（第１実施形態、第２実施形態）
【図７】本発明の画像変換処理装置の連結状態情報格納メモリに格納された複数の連結状態データを示す図である。（第１実施形態、第２実施形態）
【図８】本発明の画像変換処理装置の記憶装置の実行メモリに格納されたコンピュータプログラムを示す図である。（第１実施形態、第２実施形態）
【図９】本発明の画像変換処理装置の動作を示すフローチャート図である。（第１実施形態、第２実施形態）
【図１０】複数の画像データのうちの１つの画像データに含まれる画像（絵文字）を示す図である。（第１実施形態〜第３実施形態）
【図１１】複数の連結状態データのうちの１つの連結状態データに含まれる１４４個（１２×１２）の連結状態情報を示す図である。（第１実施形態、第３実施形態）
【図１２】連結状態情報に含まれる描画コマンドにより描画される絵文字の形状を示す図である。（第１実施形態〜第３実施形態）
【図１３】本発明の画像変換処理装置により拡大された画像を示す図である。（第１実施形態〜第３実施形態）
【図１４】複数の連結状態データのうちの１つの連結状態データに含まれる１４４個（１２×１２）の連結状態情報を示す図である。（第２実施形態、第３実施形態）
【図１５】本発明の画像変換処理装置の構成を示すブロック図である。（第３実施形態）
【図１６】本発明の画像変換処理装置の格納メモリに格納された複数の画像データと複数の連結状態データとを示す図である。（第３実施形態）
【図１７】本発明の画像変換処理装置の記憶装置の実行メモリに格納されたコンピュータプログラムを示す図である。（第３実施形態）
【図１８】本発明の画像変換処理装置の動作を示すフローチャート図である。（第３実施形態）
【符号の説明】
【００９３】
１、２、３、４−１、４−２、４−３、４−４、５、６    画像要素
１０    画像
１１    制御装置（画像変換処理装置）
１２    表示装置
１３    通信部
１４    操作部
１５    送話部
１６    受話部
１７    ネットワーク
１８    相手先の電話機
１９    サーバ
２０    携帯電話機
２１    標準画像格納メモリ
２２    連結状態情報格納メモリ
２３    標準画像読出部
２４    連結状態情報読出部
２５    画像変換部
２６    描画部
２７    通話処理部
２８    実行メモリ
２９    ＣＰＵ
３０    記憶装置
４０    連結状態情報
５０    サイズ・形状変更画像
５１、５２、５３、５４−１、５４−２、５４−３、５４−４、５５、５６    画像要素
６１    格納メモリ
６２    読出部
【図１】
2005037655.tif 000003
【図２】
2005037655.tif 000004
【図３】
2005037655.tif 000005
【図４】
2005037655.tif 000006
【図５】
2005037655.tif 000007
【図６】
2005037655.tif 000008
【図７】
2005037655.tif 000009
【図８】
2005037655.tif 000010
【図９】
2005037655.tif 000011
【図１０】
2005037655.tif 000012
【図１１】
2005037655.tif 000013
【図１２】
2005037655.tif 000014
【図１３】
2005037655.tif 000015
【図１４】
2005037655.tif 000016
【図１５】
2005037655.tif 000017
【図１６】
2005037655.tif 000018
【図１７】
2005037655.tif 000019
【図１８】
2005037655.tif 000020